【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
流体の一つ以上の容器を支持するためのホルダーであって、
電気的接地または電圧源に接続するための導電性の外側表面を有する下部壁と、
一つ以上の開口部を画定する上面と、
一つ以上のレセプタクルであって、前記一つ以上のレセプタクルの各レセプタクルが、前記一つ以上の開口部のうちの開口部から前記下部壁に向かって従属し、かつ各レセプタクルが前記一つ以上の容器のうちの少なくとも一つの容器を受容するように構成される、レセプタクルと、を備え、
前記ホルダーが導電性金属だけで形成されてはいない、ホルダー。
【請求項２】
前記ホルダーが導電性材料だけで形成されてはいない、請求項１に記載のホルダー。
【請求項３】
前記導電性の外側表面が導電性プラスチックを含む、請求項１または２に記載のホルダー。
【請求項４】
前記ホルダーが非導電性プラスチックで形成される、請求項１または２に記載のホルダー。
【請求項５】
前記導電性の外側表面が、前記下部壁の非導電性表面へと貼り付けられた導電性材料によって提供される、請求項１〜４のいずれか一項に記載のホルダー。
【請求項６】
前記導電性金属が、前記下部壁の前記非導電性表面上に被覆される、請求項５に記載のホルダー。
【請求項７】
前記導電性材料が、アルミニウムおよび銅のうちの一つを含む、請求項５または６に記載のホルダー。
【請求項８】
第一側壁および第二の側壁をさらに備え、前記一つ以上のレセプタクルが前記第一の側壁と第二の側壁との間にある、請求項１〜７のいずれか一項に記載のホルダー。
【請求項９】
前記第一の側壁および第二の側壁のうちの少なくとも一つが、前記下部壁の前記導電性の外側表面と連続する導電性の外側表面を含む、請求項８に記載のホルダー。
【請求項１０】
前記第一の側壁および第二の側壁のうちの少なくとも一つの前記導電性の外側表面が、非導電性表面へと貼り付けられた導電性金属によって提供される、請求項８または９に記載のホルダー。
【請求項１１】
前記ホルダーの非導電性表面へと貼り付けられたＲＦＩＤタグをさらに含む、請求項１〜１０のいずれか一項に記載のホルダー。
【請求項１２】
前記一つ以上のレセプタクルが、複数のレセプタクルを含む、請求項１〜１１のいずれか一項に記載のホルダー。
【請求項１３】
前記一つ以上のレセプタクルの各レセプタクルが、前記上面上の前記一つ以上の開口部のうちの一つから、前記外側表面の反対側の前記下部壁の内表面へと延在する、請求項１〜１２のいずれか一項に記載のホルダー。
【請求項１４】
流体の一つ以上の容器を支持するためのホルダーであって、
下部壁と、
第一の側壁および第二の側壁と、
一つ以上の開口部を画定する上面と、
前記第一の側壁と第二の側壁との間の一つ以上のレセプタクルであって、前記一つ以上のレセプタクルの各レセプタクルが、（ａ）前記一つ以上の開口部のうちの開口部と連通し、（ｂ）前記開口部から前記下部壁の前記第一の表面に向かって延在し、かつ（ｃ）前記一つ以上の容器のうちの少なくとも一つの容器を受容するように構成される、レセプタクルと、を備え、
前記下部壁、前記第一の側壁、および前記第二の側壁のうちの少なくとも一つが、その外側表面へと貼り付けられた導電性の層を有し、かつ前記導電性の層が電気的接地または電圧源への接続のためである、ホルダー。
【請求項１５】
前記導電性の層が、前記下部壁、前記第一の側壁、および前記第二の側壁のうちの少なくとも一つへと貼り付けられる、請求項１４に記載のホルダー。
【請求項１６】
前記導電性の層が、前記下部壁、前記第一の側壁、および前記第二の側壁のうちの少なくとも一つの上に被覆される、請求項１４に記載のホルダー。
【請求項１７】
前記導電性の層が、アルミニウムおよび銅のうちの一つを含む、請求項１４〜１６のいずれか一項に記載のホルダー。
【請求項１８】
前記第一の側壁および第二の側壁が非導電性であり、かつ前記上面と前記下部壁との間に延在する、請求項１４〜１７のいずれか一項に記載のホルダー。
【請求項１９】
前記下部壁と、前記第一の側壁および第二の側壁のうちの少なくとも一つとが、前記導電性の層を含む、請求項１８に記載のホルダー。
【請求項２０】
前記導電性の層が、前記下部壁から前記第一の側壁および第二の側壁のうちの少なくとも一つの前記上面まで延在する、請求項１９に記載のホルダー。
【請求項２１】
前記一つ以上のレセプタクルが、複数のレセプタクルを含む、請求項１４〜２０のいずれか一項に記載のホルダー。
【請求項２２】
前記一つ以上のレセプタクルの各レセプタクルが、前記上面上の前記一つ以上の開口部のうちの一つから前記下部壁の前記第一の表面へと延在し、かつ各レセプタクル内に位置付けられた容器の基部が前記第一の表面と接触する、請求項１４〜２１のいずれか一項に記載のホルダー。
【請求項２３】
一つ以上の端部が開放されたレセプタクルを形成するように形作られた本体を備える流体の一つ以上の容器を支持するためのホルダーであって、前記レセプタクルの各々が、前記一つ以上の容器のうちの少なくとも一つの容器を受容するように構成され、前記本体が電気的接地または電圧源への接続のために導電性の外側表面を有し、かつ前記ホルダーが導電性金属だけで形成されてはいない、ホルダー。
【手続補正２】
【補正対象書類名】明細書
【補正対象項目名】００４０
【補正方法】変更
【補正の内容】
【００４０】
実施形態のさらなる特徴および利点、ならびに様々な実施形態の構造および動作は、添付図面を参照しながら下記に詳細に説明される。本発明は、本明細書に記載の特定の実施形態に限定されないことに留意されたい。このような実施形態は、例示的な目的でのみ本明細書に提示される。追加的な実施形態は、本明細書に含まれる教示に基づいて、関連技術分野（複数可）における当業者にとって明らかであろう。
本願明細書は、例えば、以下の項目も提供する。
（項目１）
流体の一つ以上の容器を支持するためのホルダーであって、
電気的接地または電圧源に接続するための導電性の外側表面を有する下部壁と、
一つ以上の開口部を画定する上面と、
一つ以上のレセプタクルであって、前記一つ以上のレセプタクルの各レセプタクルが、前記一つ以上の開口部のうちの開口部から前記下部壁に向かって従属し、かつ各レセプタクルが前記一つ以上の容器のうちの少なくとも一つの容器を受容するように構成される、レセプタクルと、を備え、
前記ホルダーが導電性金属だけで形成されてはいない、ホルダー。
（項目２）
前記ホルダーが導電性材料だけで形成されてはいない、項目１に記載のホルダー。
（項目３）
前記導電性の外側表面が導電性プラスチックを含む、項目１または２に記載のホルダー。
（項目４）
前記ホルダーが非導電性プラスチックで形成される、項目１または２に記載のホルダー。
（項目５）
前記導電性の外側表面が、前記下部壁の非導電性表面へと貼り付けられた導電性材料によって提供される、項目１〜４のいずれか一項に記載のホルダー。
（項目６）
前記導電性金属が、前記下部壁の前記非導電性表面上に被覆される、項目５に記載のホルダー。
（項目７）
前記導電性材料が、アルミニウムおよび銅のうちの一つを含む、項目５または６に記載のホルダー。
（項目８）
第一側壁および第二の側壁をさらに備え、前記一つ以上のレセプタクルが前記第一の側壁と第二の側壁との間にある、項目１〜７のいずれか一項に記載のホルダー。
（項目９）
前記第一の側壁および第二の側壁のうちの少なくとも一つが、前記下部壁の前記導電性の外側表面と連続する導電性の外側表面を含む、項目８に記載のホルダー。
（項目１０）
前記第一の側壁および第二の側壁のうちの少なくとも一つの前記導電性の外側表面が、非導電性表面へと貼り付けられた導電性金属によって提供される、項目８または９に記載のホルダー。
（項目１１）
前記ホルダーの非導電性表面へと貼り付けられたＲＦＩＤタグをさらに含む、項目１〜１０のいずれか一項に記載のホルダー。
（項目１２）
前記一つ以上のレセプタクルが、複数のレセプタクルを含む、項目１〜１１のいずれか一項に記載のホルダー。
（項目１３）
前記一つ以上のレセプタクルの各レセプタクルが、前記上面上の前記一つ以上の開口部のうちの一つから、前記外側表面の反対側の前記下部壁の内表面へと延在する、項目１〜１２のいずれか一項に記載のホルダー。
（項目１４）
流体の一つ以上の容器を支持するためのホルダーであって、
下部壁と、
第一の側壁および第二の側壁と、
一つ以上の開口部を画定する上面と、
前記第一の側壁と第二の側壁との間の一つ以上のレセプタクルであって、前記一つ以上のレセプタクルの各レセプタクルが、（ａ）前記一つ以上の開口部のうちの開口部と連通し、（ｂ）前記開口部から前記下部壁の前記第一の表面に向かって延在し、かつ（ｃ）前記一つ以上の容器のうちの少なくとも一つの容器を受容するように構成される、レセプタクルと、を備え、
前記下部壁、前記第一の側壁、および前記第二の側壁のうちの少なくとも一つが、その外側表面へと貼り付けられた導電性の層を有し、かつ前記導電性の層が電気的接地または電圧源への接続のためである、ホルダー。
（項目１５）
前記導電性の層が、前記下部壁、前記第一の側壁、および前記第二の側壁のうちの少なくとも一つへと貼り付けられる、項目１４に記載のホルダー。
（項目１６）
前記導電性の層が、前記下部壁、前記第一の側壁、および前記第二の側壁のうちの少なくとも一つの上に被覆される、項目１４に記載のホルダー。
（項目１７）
前記導電性の層が、アルミニウムおよび銅のうちの一つを含む、項目１４〜１６のいずれか一項に記載のホルダー。
（項目１８）
前記第一の側壁および第二の側壁が非導電性であり、かつ前記上面と前記下部壁との間に延在する、項目１４〜１７のいずれか一項に記載のホルダー。
（項目１９）
前記下部壁と、前記第一の側壁および第二の側壁のうちの少なくとも一つとが、前記導電性の層を含む、項目１８に記載のホルダー。
（項目２０）
前記導電性の層が、前記下部壁から前記第一の側壁および第二の側壁のうちの少なくとも一つの前記上面まで延在する、項目１９に記載のホルダー。
（項目２１）
前記一つ以上のレセプタクルが、複数のレセプタクルを含む、項目１４〜２０のいずれか一項に記載のホルダー。
（項目２２）
前記一つ以上のレセプタクルの各レセプタクルが、前記上面上の前記一つ以上の開口部のうちの一つから前記下部壁の前記第一の表面へと延在し、かつ各レセプタクル内に位置付けられた容器の基部が前記第一の表面と接触する、項目１４〜２１のいずれか一項に記載のホルダー。
（項目２３）
一つ以上の端部が開放されたレセプタクルを形成するように形作られた本体を備える流体の一つ以上の容器を支持するためのホルダーであって、前記レセプタクルの各々が、前記一つ以上の容器のうちの少なくとも一つの容器を受容するように構成され、前記本体が電気的接地または電圧源への接続のために導電性の外側表面を有し、かつ前記ホルダーが導電性金属だけで形成されてはいない、ホルダー。
（項目２４）
流体の一つ以上の容器を支持するためのフレームであって、
一つ以上のホルダーであって、前記一つ以上のホルダーの各ホルダーが、
一つ以上の開口部を画定する上面と、
電気的接地または電圧源に接続するための導電性の外側表面を有する下部壁と、
一つ以上のレセプタクルであって、前記一つ以上のレセプタクルの各レセプタクルが、前記一つ以上の開口部のうちの開口部から前記下部壁に向かって従属する、一つ以上のレセプタクルと、
流体を収容する一つ以上の容器と、を備えるホルダーを備え、前記一つ以上の容器の各容器が、（ａ）前記一つ以上のレセプタクルのうちのレセプタクル内に位置付けられ、かつ（ｂ）容量式流体レベル感知のために適合された流体移送装置を受容するように構成される、フレーム。
（項目２５）
前記導電性の外側表面が前記下部壁の非導電性表面へと貼り付けられる、項目２４に記載のフレーム。
（項目２６）
前記導電性の外側表面が、前記下部壁の前記非導電性表面上に被覆される、項目２５に記載のフレーム。
（項目２７）
前記導電性の外側表面がアルミニウムおよび銅のうちの一つを含む、項目２４〜２６のいずれか一項に記載のフレーム。
（項目２８）
各ホルダーが、前記上面と前記下部壁との間に延在する第一の側壁および第二の側壁をさらに含み、前記一つ以上のレセプタクルが前記第一の側壁と第二の側壁との間にある、項目２８〜２７のいずれか一項に記載のフレーム。
（項目２９）
前記第一の側壁および第二の側壁のうちの少なくとも一つが、前記下部壁の前記導電性の外側表面と連続する導電性の外側表面を含む、項目２８に記載のフレーム。
（項目３０）
前記第一の側壁および第二の側壁のうちの少なくとも一つの前記導電性の外側表面が、非導電性表面へと貼り付けられる、項目２９に記載のフレーム。
（項目３１）
前記第一の側壁および第二の側壁のうちの少なくとも一つの前記導電性の外側表面が、前記非導電性表面上に被覆される、項目３０に記載のフレーム。
（項目３２）
前記下部壁、前記第一の側壁、および前記第二の側壁が、非導電性材料で作製された単一の構成要素の一部である、項目２８〜３１のいずれか一項に記載のフレーム。
（項目３３）
容器をレセプタクル内に保持するように構成されたカバーをさらに含む、項目２４〜３２のいずれか一項に記載のフレーム。
（項目３４）
前記カバーが、前記容器の上面の少なくとも一部分の上へと延在する非導電性部分を含む、項目３３に記載のフレーム。
（項目３５）
前記一つ以上の容器のうちの少なくとも一つが、前記流体移送装置が前記容器に入るときに前記流体移送装置が通過する導電性シールを含む、項目２４〜３４のいずれか一項に記載のフレーム。
（項目３６）
前記一つ以上のホルダーのうちの第一のホルダーの前記導電性の外側表面が、前記表面との直接的または間接的な物理的接触によって電気的接地されるように、前記フレームの表面上に位置付けられる、またはその表面に近接して位置付けられる、項目２４〜３５のいずれか一項に記載のフレーム。
（項目３７）
前記物理的接触を確立するために、前記第一のホルダーの前記導電性の外側表面と前記フレームの前記表面との間に位置付けられた導電性ばねをさらに含む、項目３６に記載のフレーム。
（項目３８）
前記一つ以上のホルダーが、複数のホルダーを含み、かつ前記一つ以上のレセプタクルが、複数のレセプタクルを含む、項目２４〜３７のいずれか一項に記載のフレーム。
（項目３９）
前記フレームが、前記一つ以上の容器の状態を表示するように構成された一つ以上のインジケータをさらに含む、項目２４〜３８のいずれか一項に記載のフレーム。
（項目４０）
前記一つ以上のホルダーが前記フレーム上に取り外し可能に位置付けられる、項目２４〜３９のいずれか一項に記載のフレーム。
（項目４１）
一つ以上のサンプルを分析するように構成された機器であって、
流体の一つ以上の容器を支持するための一つ以上のホルダーであって、各ホルダーが
一つ以上の開口部を画定する上面と、
第一の側壁および第二の側壁と、
電気的接地に接続されるように構成された導電性の外側表面を有する下部壁と、
前記第一の側壁と第二の側壁との間の一つ以上のレセプタクルであって、前記一つ以上のレセプタクルの各レセプタクルが前記一つ以上の開口部のうちの開口部から前記下部壁に向かって従属し、各レセプタクルが前記一つ以上の容器のうちの少なくとも一つの容器を受容するように構成される、レセプタクルと、を備えるホルダーと、
容量式流体レベル感知のために適合された流体移送装置であって、前記一つ以上の容器が前記流体移送装置によってアクセス可能である、流体移送装置と、を備える、機器。
（項目４２）
前記導電性の外側表面が前記下部壁の非導電性表面へと貼り付けられる、項目４１に記載の機器。
（項目４３）
前記導電性の外側表面が、前記下部壁の非導電性表面上に被覆される、項目４２に記載の機器。
（項目４４）
前記導電性の外側表面がアルミニウムおよび銅のうちの一つを含む、項目４１〜４３のいずれか一項に記載の機器。
（項目４５）
前記第一の側壁および第二の側壁のうちの少なくとも一つが、前記下部壁の前記導電性の外側表面と連続する導電性の外側表面を含む、項目４１〜４４のいずれか一項に記載の機器。
（項目４６）
前記第一の側壁および第二の側壁のうちの前記少なくとも一つの前記導電性表面が、非導電性表面へと貼り付けられる、項目４５に記載の機器。
（項目４７）
前記第一の壁および第二の壁のうちの前記少なくとも一つの前記導電性の外側表面が、前記非導電性表面上に被覆される、項目４６に記載の機器。
（項目４８）
前記下部壁と前記第一の側壁および第二の側壁のうちの少なくとも一つとのうちの少なくとも一つと接触して、前記下部壁と前記第一の側壁および第二の側壁の少なくとも一つとのうちの少なくとも一つの前記導電性の外側表面を電気的接地するように構成される、導電性ブラシをさらに含む、項目４５〜４７のいずれか一項に記載の機器。
（項目４９）
前記一つ以上のホルダーのうちの少なくとも一つのホルダーを前記機器内の第一の場所から第二の場所へと動かすように構成された輸送機をさらに含み、前記第二の場所が前記導電性ブラシを含む、項目４８に記載の機器。
（項目５０）
前記一つ以上のホルダーのうちの第一のホルダーの前記導電性の外側表面が、前記表面との直接的または間接的な物理的接触によって電気的接地されるように、前記一つ以上のホルダーが前記機器の表面上に、または前記機器の表面に近接して位置付けられている、項目４１に記載の機器。
（項目５１）
前記物理的接触を確立するために、前記第一のホルダーの前記導電性の外側表面と前記機器の前記表面との間に位置付けられたばねをさらに含む、項目５０に記載の機器。
（項目５２）
各ホルダーが、前記一つ以上のレセプタクルのうち少なくとも一つの中に位置付けられた前記一つ以上の容器のうちの少なくとも一つの容器を含む、項目４１〜５１のいずれか一項に記載の機器。
（項目５３）
各ホルダーが、前記流体移送装置によって前記一つ以上の容器へとアクセスを提供する一方で、前記一つ以上の容器を前記ホルダー内に保持するように構成されたカバーをさらに含み、前記カバーが、前記一つ以上の容器の上に少なくとも部分的に延在する非導電性部分を含む、項目５２に記載の機器。
（項目５４）
前記一つ以上のホルダーが、前記機器上に取り外し可能に位置付けられた複数のホルダーを含み、前記一つ以上のレセプタクルが複数のレセプタクルを含む、項目４１〜５３のいずれか一項に記載の機器。
（項目５５）
流体を含む容器内の流体レベルを検出する方法であって、
前記容器の下面が前記ホルダーの第一の表面上に配置される、または前記ホルダーの第一の表面に近接して位置付けられるように、前記容器をホルダーのレセプタクル内に位置付けることであって、第一の表面の反対側である前記ホルダーの第二の表面が、電気的接地された導電性の層を含む、位置付けることと、
前記容器内の前記流体のレベルを検出するために、容量式流体レベル感知用に構成されたプローブチップを有する流体移送装置を前記容器の中へと挿入することと、を含む、方法。
（項目５６）
前記導電性の層が、前記ホルダーの非導電性表面に取り付けられる、項目５５に記載の方法。
（項目５７）
前記導電性の層が、前記ホルダーの非導電性表面上に被覆される、項目５５に記載の方法。
（項目５８）
前記ホルダーが、前記第一の表面から離間された上面を含み、これにより前記レセプタクルが前記上面から前記第一の表面に向かって延在し、かつ前記ホルダーが、前記第二の表面の前記導電性の層から前記上面に向かって延在する導電性の側面を有する側壁をさらに含む、項目５５〜５７のいずれか一項に記載の方法。
（項目５９）
前記導電性の側面を導電性ブラシを介して電気的接地へと接触させることによって、前記第二の表面の前記導電性の層を電気的接地することをさらに含む、項目５８に記載の方法。
（項目６０）
前記導電性の側面を電気的接地に接触させることが、前記ホルダーを第一の場所から第二の場所へと動かして、前記導電性の側面を前記導電性ブラシと係合させることを含む、項目５９に記載の方法。
（項目６１）
前記第二の表面の前記導電性の層が、導電性金属ばねを介して電気的接地に接続される、項目５５〜５７のいずれか一項に記載の方法。
（項目６２）
前記容器の前記下面の反対側の前記容器の上面が、導電性シールを含み、かつ前記流体移送装置を挿入することが、前記導電性シールを通して前記プローブチップを前記容器の中へと挿入することを含む、項目５５〜６１のいずれか一項に記載の方法。
（項目６３）
前記容器から前記流体移送装置を引き戻すことをさらに含む、項目５５〜６２のいずれか一項に記載の方法。
（項目６４）
前記容器から前記流体移送装置を引き戻すことは、前記容器の少なくとも一部分の上へと延在するカバーを使用して前記容器を前記レセプタクル内に拘束することを含み、前記カバーが前記導電性シールに面する非導電性表面を含む、項目６３に記載の方法。
（項目６５）
容器から流体を抽出する方法であって、
前記容器をホルダーのレセプタクル内に位置付けることであって、前記容器が、前記ホルダーの上面から前記ホルダーの下部壁に向かって延在し、前記下部壁が電気的接地に接続された導電性の下面を含む、位置付けることと、
容量式流体レベル感知のために構成されたプローブチップを有する流体移送装置を前記容器の中へと挿入することと、
前記プローブチップを使用して前記容器内の前記流体のレベルを検出することと、
前記流体移送装置を使用して前記容器から流体を抽出することと、を含む、方法。
（項目６６）
前記導電性の下面が、前記ホルダーの非導電性表面へと貼り付けられる、項目６５に記載の方法。
（項目６７）
前記導電性の下面が、前記ホルダーの前記非導電性表面上に被覆される、項目６５に記載の方法。
（項目６８）
前記ホルダーが、前記下部壁から前記上面へと延在する側壁を含み、前記側壁が、前記下部壁の前記導電性の下面と連続する導電性の側面を含む、項目６５〜６７のいずれか一項に記載の方法。
（項目６９）
前記下面または前記側面を導電性ブラシを介して電気的接地または電圧源に接触させることによって、前記ホルダーの前記導電性表面を電気的接地することをさらに含む、項目６８に記載の方法。
（項目７０）
前記側面を電気的接地に接触させることが、前記ホルダーを第一の場所から第二の場所へと動かして、前記側面を前記導電性ブラシで接触させることを含む、項目６９に記載の方法。
（項目７１）
前記下面が、導電性ばねを介して電気的接地に接続される、項目６５〜６７のいずれか一項に記載の方法。
（項目７２）
前記下部壁と反対側の前記容器の上面が導電性シールを含み、前記流体移送装置を挿入することが、前記プローブチップを前記導電性シールを通して前記容器の中へと挿入することを含む、項目６５〜７１のいずれか一項に記載の方法。
（項目７３）
前記容器から前記流体移送装置を引き戻すことと、前記容器の少なくとも一部分の上へと延在するカバーを使用して前記容器を前記レセプタクル内に拘束することと、をさらに含む、項目６５に記載の方法。
（項目７４）
機器内の流体容器を取り扱うための組立品であって、
引き出しであって、
少なくとも一つの流体容器を支持するように構成されたホルダーと、
ホルダーを支持するように構成され、かつ（ａ）前記ホルダーへのアクセスを提供する第一のフレーム位置と、（ｂ）第一のホルダー位置にある前記機器内に前記ホルダーを位置付ける第二のフレーム位置との間で移動可能な、フレームと、
前記フレームが前記第一のフレーム位置にあるときに前記ホルダーを前記フレームに固定し、また前記フレームが前記第二のフレーム位置にあるときに前記ホルダーを前記フレームからロック解除する第一のロックと、を備える引き出しと、
前記ホルダーを、（ａ）前記第一のホルダー位置と（ｂ）前記機器内の第二のホルダー位置との間で動かすように構成されたホルダー輸送機であって、前記ホルダーが前記第一のホルダー位置と前記第二のホルダー位置との間で移動する経路の少なくとも一部分が、垂直成分を含む、ホルダー輸送機と、を含む、組立品。
（項目７５）
前記ホルダーが、第一のノブを備え、
前記フレームが、第一の開口部を画定するベースパネルを備え、前記ホルダーの前記第一のノブが、前記ホルダーが前記フレームによって支持されたときに前記開口部を通して延在し、かつ
前記第一のロックが、前記開口部に対して、（ａ）前記アームが前記開口部を通して延在する前記第一のノブの一部分と係合し、これによって前記ホルダーを前記フレームへと固定する第一のアーム位置と、（ｂ）前記アームが前記開口部を通して延在する第一のノブの前記部分から係脱され、これによって前記フレームからホルダーをロック解除する第二のアーム位置との間で移動可能である、アームを備える、項目７４に記載の組立品。
（項目７６）
前記ホルダーが、第二のノブをさらに備え、
前記フレームの前記ベースパネルが、第二の開口部をさらに画定し、前記ホルダーが前記フレームによって支持されるときに、前記ホルダーの前記第二のノブが、前記第二の開口部を通して延在し、
前記第一のロックが、前記第一のアーム位置において、前記第二の開口部を通して延在する前記第二のノブの一部分と係合し、また第二のアーム位置において、前記第二の開口部を通して延在する前記第二のノブのその部分から係脱され、これによって前記フレームから前記ホルダーをロック解除する、項目７５に記載の組立品。
（項目７７）
前記アームが、前記第一の開口部を通して延在する前記第一のノブの前記部分と係合するように構成された第一のフックと、前記第二の開口部を通して延在する前記第二のノブの前記部分と係合するように構成された第二のフックと、を備える、項目７６に記載の組立品。
（項目７８）
前記第一のノブおよび前記第二のノブの各々が、前記第一のノブおよび第二のノブのそれぞれの遠位端から延在するフランジを備え、かつ
前記第一のアーム位置において、前記第一のフックおよび前記第二のフックが、前記フレームの前記それぞれのフランジと前記ベースパネルの間に位置付けられ、これによって前記フレームに対する前記ホルダーの垂直の動きが阻止される、項目７７に記載の組立品。
（項目７９）
前記アームが、前記フレームに連結されたピボットピンによって画定される軸を中心として回転する、項目７５〜７８のいずれか一項に記載の組立品。
（項目８０）
前記アームが、前記第一のアーム位置へと付勢される、項目７５〜７９のいずれか一項に記載の組立品。
（項目８１）
前記アームが、前記第二のアーム位置へと付勢される、項目７５〜７９のいずれか一項に記載の組立品。
（項目８２）
前記引き出しが、前記アームを付勢するばねをさらに備える、項目８０または８１に記載の組立品。
（項目８３）
前記ホルダーが少なくとも一つのスロットを画定し、
前記フレームが、前記ホルダーが前記フレームによって支持されるときに前記少なくとも一つのスロット内に受容されるように構成された少なくとも一つのホルダー係合部材を備える、項目７４〜８２のいずれか一項に記載の組立品。
（項目８４）
前記少なくとも一つのホルダー係合部材が、パネルから延在する突出部を備える、項目８３に記載の組立品。
（項目８５）
前記引き出しが、
固定サポートであって、前記フレームが前記固定サポートに対して移動可能である、固定サポートと、
前記フレームが前記第二のフレーム位置にあり、かつ前記ホルダーが前記フレームからロック解除されるときに、前記固定サポートに対する前記フレームの動きを阻止するように構成された第二のロックと、をさらに備える、項目７４〜８４のいずれか一項に記載の組立品。
（項目８６）
前記第二のロックが、
前記移動可能フレームに連結されたフックアンドキャッチのうちの一方と、
前記固定サポートに連結された前記フックアンドキャッチのうちのもう一方と、を備え、
前記フレームが前記第二のフレーム位置にあるときに、前記フックが前記キャッチと協働的に係合する、項目８５に記載の組立品。
（項目８７）
前記ホルダー輸送機が、前記フレームが前記第二のフレーム位置にあるときに、前記ホルダーを前記第一のホルダー位置において協働的に係合するように構成されたホルダーサポートを備える、項目７４〜８６のいずれか一項に記載の組立品。
（項目８８）
前記ホルダーサポートがピンを備え、かつ
前記ホルダーが、前記移動可能フレームが前記第二のフレーム位置にあるときに前記ピンを受容するように構成されたチャネルを備え、これによって前記ピンとホルダーとの間に締まり嵌めを生成するように構成される、項目８７に記載の組立品。
（項目８９）
前記ホルダーが、前記チャネルを少なくとも部分的に画定するばねアームをさらに備える、項目８８に記載の組立品。
（項目９０）
前記ホルダーが、フランジをさらに備え、かつ
前記ホルダーサポートが、
前記フレームが前記第二のフレーム位置にあるときに前記フランジを支持する表面と、
前記表面から離間し、かつ前記フレームが前記第二のフレーム位置にあるときに前記ホルダーによって支持される前記少なくとも一つの流体容器の上向きの動きを阻止する上部部分と、を備える、項目８７〜８９のいずれか一項に記載の組立品。
（項目９１）
前記上部部分が、前記移動可能フレームが前記第二のフレーム位置にあるときに、前記ホルダーによって支持される前記少なくとも一つの流体容器の少なくとも一部分を露出する開口部を画定する、項目９０に記載の組立品。
（項目９２）
前記ホルダー輸送機が、
アクチュエータと、
前記アクチュエータを前記ホルダーサポートへと連結する移動可能な輸送機アームと、をさらに備える、項目８７〜９１のいずれか一項に記載の組立品。
（項目９３）
前記アクチュエータが、前記ホルダーサポートが前記ホルダーを前記第一のホルダー位置と前記第二のホルダー位置との間を弓形経路に沿って動かすように、前記移動可能な輸送機アームを回転させる、項目９２に記載の組立品。
（項目９４）
前記アクチュエータがモータを備える、項目９２または９３に記載の組立品。
（項目９５）
前記輸送機が、前記アクチュエータを前記ホルダーサポートに連結する第二の移動可能な輸送機アームをさらに備える、項目９２〜９４のいずれか一項に記載の組立品。
（項目９６）
前記機器が分析機器である、項目７４〜９５のいずれか一項に記載の組立品。
（項目９７）
前記分析機器が、サンプルの第一の分析を実施するように構成された第一のモジュールと、前記第一の分析とは異なる第二の分析を実施するように構成された第二のモジュールと、を備え、
前記第一のホルダー位置が前記第一のモジュール内にあり、かつ
前記第二のホルダー位置が前記第二のモジュール内にある、項目９６に記載の組立品。
（項目９８）
前記第一の分析が熱サイクルを必要とする第一の核酸増幅反応を実施することを含み、かつ前記第二の分析が等温条件を必要とする第二の核酸増幅反応を実施することを含む、項目９３に記載の組立品。
（項目９９）
前記第一の核酸増幅反応がＰＣＲ反応を含み、かつ前記第二の核酸増幅反応がＴＭＡ反応、ＮＡＳＢＡ反応、またはＳＤＡ反応を含む、項目９８に記載の組立品。
（項目１００）
機器内でホルダーを動かすための輸送機であって、前記ホルダーが、容器を支持するよう構成され、前記輸送機が、
ホルダーと解放可能に連結するように構成されたホルダーサポートと、
前記ホルダーサポートに連結され、かつ前記ホルダーサポートを、（ａ）前記ホルダーサポートが前記ホルダーを受容するように構成される第一の位置と（ｂ）第二の位置との間で動かすように構成された、アクチュエータと、を備え、前記ホルダーサポートが前記第一の位置と前記第二の位置との間で移動する経路の少なくとも一部分が垂直成分を含む、輸送機。
（項目１０１）
前記ホルダーサポートが、前記ホルダーによって画定されるチャネル内に受容されるように構成されたピンを備え、これによって前記ピンと前記ホルダーとの間に締まり嵌めを生成する、項目１００に記載の輸送機。
（項目１０２）
前記ホルダーサポートが、
前記ホルダーの一部分を支持するように構成される表面と、
前記ホルダーが前記ホルダーサポートに連結されたときに、前記ホルダーによって支持される流体容器の上向きの動きを阻止するように構成される前記表面から離間された上部部分と、を備える、項目１００または１０１に記載の輸送機。
（項目１０３）
前記上部部分が、前記ホルダーによって支持される前記流体容器の少なくとも一部分を露出する開口部を画定する、項目１０２に記載の輸送機。
（項目１０４）
前記アクチュエータが電気モータを含む、項目１００〜１０３のいずれか一項に記載の輸送機。
（項目１０５）
前記アクチュエータを前記ホルダーサポートへと連結する移動可能なアームをさらに備える、項目１００〜１０４のいずれか一項に記載の輸送機。
（項目１０６）
前記ホルダーサポートが弓形経路に沿って動くように、アクチュエータが前記移動可能なアームを回転させる、項目１０５に記載の輸送機。
（項目１０７）
輸送機が分析機器の一部である、項目１００〜１０６のいずれか一項に記載の輸送機。
（項目１０８）
前記分析機器が、サンプルの第一の分析を実施するように構成された第一のモジュールと、前記第一の分析とは異なる第二の分析を実施するように構成された第二のモジュールと、を備え、
前記第一の位置が前記第一のモジュール内にあり、かつ
前記第二の位置が前記第二のモジュール内にある、項目１０７に記載の輸送機。
（項目１０９）
前記第一の分析が熱サイクルを必要とする第一の核酸増幅反応を実施することを含み、かつ前記第二の分析が等温条件を必要とする第二の核酸増幅反応を実施することを含む、項目１０８に記載の輸送機。
（項目１１０）
前記第一の核酸増幅反応が、ＰＣＲ反応を実施することを含み、かつ前記第二の核酸増幅反応がＴＭＡ反応、ＮＡＳＢＡ反応、またはＳＤＡ反応を実施することを含む、項目１０９に記載の輸送機。
（項目１１１）
機器によって使用される流体容器を取り扱う方法であって、
（ａ）ホルダーを支持するフレームを、（ｉ）前記ホルダーへのアクセスを提供する第一のフレーム位置から（ｉｉ）前記ホルダーを機器内に位置付ける第二のフレーム位置へと動かす工程であって、前記ホルダーが少なくとも一つの流体容器を支持する、工程と、
（ｂ）前記ホルダーを前記フレームからロック解除する工程と、
（ｃ）工程（ｂ）の後に、前記ホルダーを前記フレームから垂直成分を含む経路に沿って別の位置へ動かす工程と、を含む、方法。
（項目１１２）
工程（ｂ）が、ロッキングアームを、（ｉ）前記ホルダーの第一のノブの一部分に前記ロッキングアームを係合する第一のロック位置から、（ｉｉ）前記ホルダーの前記第一のノブの前記部分から前記アームが係脱される第二のロック位置へと動かすことを含む、項目１１１に記載の方法。
（項目１１３）
前記ロッキングアームが前記第一のロック位置において前記ホルダーの第二のノブの一部分と係合し、また前記ロッキングアームが前記第二のロック位置において前記ホルダーの前記第二のノブの前記部分から係脱される、項目１１２に記載の方法。
（項目１１４）
工程（ｂ）が、工程（ａ）の後、または工程（ａ）と同時に生じる、項目１１１〜１１３のいずれか一項に記載の方法。
（項目１１５）
工程（ｂ）が工程（ａ）と同時に生じる、項目１１４に記載の方法。
（項目１１６）
（ｄ）前記フレームが前記第二のフレーム位置にあるときに、前記ホルダーを前記ホルダー輸送機の前記ホルダーサポートに協働的に係合する工程をさらに含む、項目１１１〜１１５のいずれか一項に記載の方法。
（項目１１７）
工程（ｄ）が工程（ａ）の後に、または工程（ａ）と同時に生じる、項目１１６に記載の方法。
（項目１１８）
工程（ｄ）が工程（ａ）と同時に生じる、項目１１７に記載の方法。
（項目１１９）
工程（ｃ）がアクチュエータを使用して前記ホルダーサポートに連結されたアームを回転することを含み、これによって前記ホルダーサポートを弓形経路に沿って動かす、項目１１１〜１１８のいずれか一項に記載の方法。
（項目１２０）
前記フレームが、サンプルの第一の分析を実施するように構成された分析機器の第一のモジュール内に位置付けられ、また前記ホルダーが前記経路に沿って動かされたその他の位置が、前記第一の分析とは異なるサンプルの第二の分析を実施するように構成された前記分析機器の第二のモジュール内である、項目１１１〜１１９のいずれか一項に記載の方法。
（項目１２１）
前記第一の分析が、熱サイクルを必要とする第一の核酸増幅反応を実施することを含み、また前記第二の分析が、前記第二の核酸増幅反応の前記持続時間の間、等温条件を必要とする第二の核酸増幅反応を実施することを含む、項目１２０に記載の方法。
（項目１２２）
前記第一の核酸増幅反応がＰＣＲ反応を含み、また前記第二の核酸増幅反応がＴＭＡ反応、ＮＡＳＢＡ反応、またはＳＤＡ反応を含む、項目１２１に記載の方法。
（項目１２３）
工程（ｃ）の後に、
（ｅ）前記分析機器の前記第二のモジュール内の前記その他の位置において第一の流体移送装置のプローブチップを前記流体容器の中へと挿入する工程と、
（ｆ）前記第一の流体移送装置を使用して前記流体容器内の流体の少なくとも一部分を吸引する工程と、
（ｇ）前記流体容器から前記第一の流体移送装置の前記プローブチップを抜き出す工程と、をさらに含む、項目１１１〜１２２のいずれか一項に記載の方法。
（項目１２４）
（ｈ）前記フレームが前記第二のフレーム位置にあるときに、第二の流体移送装置のプローブチップを前記フレームによって支持される前記流体容器の中へと挿入する工程と、
（ｉ）前記第二の流体移送装置を使用して前記流体容器内の流体の少なくとも一部分を吸引する工程と、
（ｊ）前記流体容器から前記第二の流体移送装置の前記プローブチップを抜き出す工程と、をさらに含む、項目１２３のいずれか一項に記載の方法。
（項目１２５）
工程（ｈ）、工程（ｉ）および工程（ｊ）が工程（ｃ）の前に生じる、項目１２４に記載の方法。
（項目１２６）
（ｋ）前記ホルダーを、前記分析機器の前記第二のモジュール内の前記他の位置から前記第一のモジュール内の前記フレームへと動かす工程をさらに含む、項目１１１〜１２５のいずれか一項に記載の方法。
（項目１２７）
（ｌ）前記ホルダーを支持する前記フレームを（ｉ）前記第二のフレーム位置から、（ｉｉ）前記第一のフレーム位置へと動かす工程と、
（ｍ）前記ホルダーを前記フレームへとロックする工程と、をさらに含む、項目１１１〜１２６のいずれか一項に記載の方法。
（項目１２８）
工程（ｍ）が工程（ｌ）の前に、または工程（ｌ）と同時に生じる、項目１２７に記載の方法。
（項目１２９）
工程（ｍ）が工程（ｌ）と同時に生じる、項目１２８に記載の方法。
（項目１３０）
前記フレームが前記第一のフレーム位置にあり、かつ前記ホルダーが前記フレームへとロックされている間に、前記ホルダーから前記流体容器を手動で取り外す前記工程をさらに含む、項目１２７〜１２９のいずれか一項に記載の方法。